(57)【要約】  【課題】  フレームレートを低下させることなく、かつ、煩雑な操作を伴わずに、特定の領域の音線密度を高くすることが可能な超音波撮像装置を提供する。  【解決手段】  この超音波撮像装置は、複数の駆動信号に従って超音波ビームを形成して被検体に送信すると共に、被検体から反射される超音波エコーを受信して複数の検出信号を生成する超音波用探触子１０と、超音波用探触子から複数の超音波ビームを順次送信することによって被検体の走査範囲を走査するように、複数の駆動信号の遅延量を調整して超音波用探触子に供給する送信側回路１２〜１４と、超音波用探触子が超音波エコーを受信することによって得られる複数の検出信号を処理することにより、被検体の走査範囲内の複数のサンプリングポイントにおける画像情報を得る受信側回路２０〜３０と、受信側回路によって得られた画像情報に基づいて、被検体の走査範囲内の少なくとも１つの領域において、画像情報が得られるサンプリングポイントの密度を上昇させるように走査条件を設定する走査条件設定手段１１、２７とを具備する。【選択図】  図１
2005087266.tif 000002
【特許請求の範囲】
【請求項１】
複数の駆動信号に従ってそれぞれ動作する複数の超音波トランスデューサによって超音波ビームを形成して被検体に送信すると共に、被検体から反射される超音波エコーを受信して複数の検出信号を生成する超音波用探触子と、
前記超音波用探触子から複数の超音波ビームを順次送信することによって被検体を所定の走査範囲に渡って走査するように、複数の駆動信号の遅延量を調整して前記超音波用探触子に供給する送信側回路と、
前記超音波用探触子が超音波エコーを受信することによって得られる複数の検出信号を処理することにより、前記被検体の走査範囲内のサンプリングポイントにおける画像情報を得る受信側回路と、
前記受信側回路によって得られた画像情報に基づいて、前記被検体の走査範囲内の少なくとも１つの領域においてサンプリングポイントの密度を上昇させるように走査条件を設定する走査条件設定手段と、
を具備する超音波撮像装置。
【請求項２】
前記受信側回路が、
超音波ビームを送信して得られた複数の検出信号に受信フォーカス処理を施して第１群の音線データを生成する第１の受信制御手段と、
超音波ビームを送信して得られた複数の検出信号に第１群の音線データと異なる受信フォーカス処理を施して第２群の音線データを生成する第２の受信制御手段と、
第１群の音線データ及び第２群の音線データに基づいて画像データを生成する画像データ生成手段と、
を含む、請求項１記載の超音波撮像装置。
【請求項３】
前記走査条件設定手段が、前記被検体の走査範囲内の複数の領域の各々における少なくとも１つのライン上の輝度の値、及び／又は、少なくとも１つのライン上の輝度分布曲線の周波数成分に基づいて、前記被検体の走査範囲内に前記少なくとも１つの領域を設定する、請求項１又は２記載の超音波撮像装置。
【請求項４】
前記走査条件設定手段が、前記被検体の走査範囲内の複数の領域における２次元的な輝度分布を所定のパターンと比較するパターンマッチングの結果に基づいて、前記被検体の走査範囲内に前記少なくとも１つの領域を設定する、請求１又は２記載の超音波撮像装置。
【請求項５】
前記走査条件設定手段が、前記被検体の走査範囲内の複数の領域における構造物の有無を複数の判定方法に従って判定することが可能であり、該複数の判定方法の内からオペレータによって選択された判定方法に従って得られた判定結果に基づいて、前記被検体の走査範囲内に前記少なくとも１つの領域を設定する、請求項１〜４のいずれか１項記載の超音波撮像装置。
【請求項６】
前記走査条件設定手段が、
前記被検体の走査範囲内の複数の領域における構造物の有無を判定する第１の判定手段と、
前記第１の判定手段によって構造物が存在すると判定された領域における構造物の輪郭形状の複雑性を判定し、その判定結果に基づいて、前記被検体の走査範囲内に前記少なくとも１つの領域を設定する第２の判定手段と、
を含む、請求項１〜５のいずれか１項記載の超音波撮像装置。
【請求項７】
前記第２の判定手段が、前記構造物の輪郭形状を抽出し、その輪郭形状のフラクタル次数に基づいて構造物の複雑性を判定する、請求項６記載の超音波撮像装置。
【発明の詳細な説明】
【技術分野】
【０００１】
本発明は、超音波を送受信することにより生体内の臓器の診断や非破壊検査を行うために用いられる超音波撮像装置に関する。
【背景技術】
【０００２】
一般的に、超音波診断装置や工業用の探傷装置等の超音波撮像装置においては、超音波の送受信機能を有する複数の超音波トランスデューサを含む超音波用探触子（プローブ）が用いられる。このような超音波用探触子を用いて、複数の超音波を合波することにより形成される超音波ビームによって被検体を走査し、被検体内部において反射された超音波エコーを受信することにより、超音波エコーの強度に基づいて被検体に関する画像情報が得られる。さらに、この画像情報に基づいて、被検体に関する２次元又は３次元画像が再現される。このような超音波ビームを用いた走査方法の１つとして、被検体の扇状の２次元領域を角度方向に走査する、いわゆるセクタ走査が知られている。
【０００３】
セクタ走査は、元来、人体の肋間から心臓を観察するための手法として開発されたものである。一般的に、セクタ走査においては、送信点から被検体の深さ方向に延びる超音波ビームが被検体内に扇状に順次送信され、この超音波ビームによって、図１０に示すように、被検体の扇状の２次元領域が等間隔の角度で走査される。ここで、各々の角度において、超音波ビーム（音線）に沿って被検体の深さ方向に等間隔で分布する複数のサンプリングポイントに関する画像情報が、一定の時間間隔でサンプリングされる。サンプリングされた検出信号に基づいて音線データが算出され、その音線データに基づいて得られた２次元又は３次元の超音波画像は、心臓については断層心エコー図と呼ばれている。
【０００４】
しかしながら、セクタ走査においては、超音波ビームに沿って被検体の深さ方向に等間隔でサンプリングされた検出信号に基づいて音線データを得るので、被検体に対する深度が大きくなるにつれて音線の密度が低下する。従って、被検体の深部における画像の解像度が低下してしまうという問題があった。そこで、深度に応じて、隣接する２つの音線の間を補間する補間音線を形成することによって、被検体の深部における画像の解像度の低下を改善した超音波撮像装置が開発されている。
【０００５】
下記の特許文献１には、扇形画像の深い部分の画質の劣化を防いで、画像全体の画質を均一で高品位にする超音波診断装置が開示されている。この超音波診断装置によれば、表示された扇形画像が深さ方向の複数の区間に区分され、区間ごとにその深度に応じて走査線が補間されることにより、画像の深い位置における走査線の間隔が狭められて、深い位置の画像も密になる。
【０００６】
しかしながら、特許文献１の超音波診断装置においては、走査制御回路が、走査線の本数に基づき所定のタイミングで走査線の送受信信号指令を作成して送受信回路へ送っているので、送信する超音波ビームの本数が増加し、フレームレートが低下するという問題がある。ここで、フレームレートは、１秒間に更新される超音波画像の数を表している。
【０００７】
下記の特許文献２には、フレームレートを維持しつつ、注目観察したい部分の画質の向上を図ることができる超音波診断装置が開示されている。この超音波診断装置によれば、走査面を構成する走査線の密度が超音波ビーム走査方向に可変可能であり、特に観察したい範囲に対して走査線を高密度に設定し、それ以外の範囲については走査線を低密度に設定しているので、走査面全体として走査線の本数を増減させることなく、即ち、フレームレートを変えることなく、特定の範囲に対して超音波画像の画質向上を図ることができる。
【０００８】
しかしながら、特許文献２の超音波診断装置においては、ユーザーが、走査面内における走査線の密度を可変したい範囲を範囲設定器を用いて設定すると共に、当該範囲内における走査線の本数を粗密設定器を用いて設定する必要がある。また、当該範囲をシフトする場合には、走査面内における走査線の密度を可変したい範囲を範囲設定器を用いて再び設定する必要があり、当該範囲を設定するために、煩雑な操作を行う必要がある。
【特許文献１】特開平５−１５４１５３号公報（第１〜３頁、図１）
【特許文献２】特開平９−１９２１３０号公報（第３，６〜７頁、図１）
【発明の開示】
【発明が解決しようとする課題】
【０００９】
そこで、上記の点に鑑み、本発明は、フレームレートを低下させることなく、かつ、煩雑な操作を伴わずに、特定の領域の音線密度を高くすることが可能な超音波撮像装置を提供することを目的とする。
【課題を解決するための手段】
【００１０】
上記課題を解決するため、本発明の第１の観点に係る超音波撮像装置は、複数の駆動信号に従ってそれぞれ動作する複数の超音波トランスデューサによって超音波ビームを形成して被検体に送信すると共に、被検体から反射される超音波エコーを受信して複数の検出信号を生成する超音波用探触子と、超音波用探触子から複数の超音波ビームを順次送信することによって被検体を所定の走査範囲に渡って走査するように、複数の駆動信号の遅延量を調整して超音波用探触子に供給する送信側回路と、超音波用探触子が超音波エコーを受信することによって得られる複数の検出信号を処理することにより、被検体の走査範囲内のサンプリングポイントにおける画像情報を得る受信側回路と、受信側回路によって得られた画像情報に基づいて、被検体の走査範囲内の少なくとも１つの領域においてサンプリングポイントの密度を上昇させるように走査条件を設定する走査条件設定手段とを具備する。
【発明の効果】
【００１１】
本発明によれば、画像情報に基づいて、被検体の走査範囲内の少なくとも１つの領域においてサンプリングポイントの密度を上昇させるように走査条件を設定することにより、フレームレートを低下させることなく、かつ、煩雑な操作を伴わずに、特定の領域の音線密度を高くすることができる。
【発明を実施するための最良の形態】
【００１２】
以下、本発明を実施するための最良の形態について、図面を参照しながら詳しく説明する。なお、同一の構成要素には同一の参照番号を付して、説明を省略する。
図１は、本発明の第１の実施形態に係る超音波撮像装置の構成を示すブロック図である。本実施形態に係る超音波撮像装置は、超音波用探触子１０と、走査制御部１１と、送信遅延パターン記憶部１２と、送信制御部１３と、駆動信号発生部１４とを含んでいる。
【００１３】
被検体に当接させて用いられる超音波用探触子１０は、１次元又は２次元のトランスデューサアレイを構成する複数の超音波トランスデューサ１０ａを備えている。これらの超音波トランスデューサ１０ａは、印加される駆動信号に基づいて超音波ビームを送信すると共に、伝搬する超音波を受信して検出信号を出力する。
【００１４】
各々の超音波トランスデューサは、例えば、ＰＺＴ（チタン酸ジルコン酸鉛：Pb(lead) zirconate titanate）に代表される圧電セラミックや、ＰＶＤＦ（ポリフッ化ビニリデン：polyvinylidene difluoride）に代表される高分子圧電素子等の圧電性を有する材料（圧電素子）の両端に電極を形成した振動子によって構成される。このような振動子の電極に、パルス状の電気信号或いは連続波電気信号を送って電圧を印加すると、圧電素子が伸縮する。この伸縮により、それぞれの振動子からパルス状或いは連続的な超音波が発生し、これらの超音波の合成によって超音波ビームが形成される。また、それぞれの振動子は、伝搬する超音波を受信することによって伸縮し、電気信号を発生する。これらの電気信号は、超音波の検出信号として出力される。
【００１５】
或いは、超音波トランスデューサとして、超音波変換方式の異なる複数種類の素子を用いても良い。例えば、超音波を送信する素子として上記の振動子を用い、超音波を受信する素子として光検出方式の超音波トランスデューサを用いるようにする。光検出方式の超音波トランスデューサとは、超音波信号を光信号に変換して検出するものであり、例えば、ファブリーペロー共振器やファイバブラッググレーティングによって構成される。
【００１６】
走査制御部１１は、超音波ビームの送信方向、及び、超音波エコーの受信方向を順次設定する。送信遅延パターン記憶部１２は、超音波ビームを形成する際に用いられる複数の送信遅延パターンを記憶している。
【００１７】
送信制御部１３は、走査制御部１１において設定された送信方向に応じて、送信遅延パターン記憶部１２に記憶されている複数の遅延パターンの中から所定のパターンを選択し、そのパターンに基づいて、複数の超音波トランスデューサの駆動信号にそれぞれ与えられる遅延時間を設定する。
【００１８】
駆動信号発生部１４は、例えば、複数の超音波トランスデューサ１０ａにそれぞれ対応する複数のパルサによって構成されている。これらパルサは、送信制御部１３において設定された遅延時間に基づいて、駆動信号を発生する。
【００１９】
さらに、本実施形態に係る超音波撮像装置は、信号処理部２０と、１次記憶部２１と、受信遅延パターン記憶部２２と、主音線用受信制御部２３と、補間音線用受信制御部２４と、２次記憶部２５と、画像データ生成部２６と、構造物有無判定部２７と、３次記憶部２８と、画像処理部２９と、表示部３０と、操作卓３１と、制御部３２とを含んでいる。
【００２０】
信号処理部２０は、複数の超音波トランスデューサ１０ａに対応して、複数のチャンネルを含んでいる。信号処理部２０の各々のチャンネルは、対応する超音波トランスデューサから出力された検出信号を取り込み、対数増幅、ＳＴＣ（センシティビティ・タイム・コントロール）、フィルタ処理、Ａ／Ｄ変換等の信号処理を行う。１次記憶部２１は、信号処理部２０において信号処理された検出信号を、超音波トランスデューサごとに時系列に記憶する。
【００２１】
受信遅延パターン記憶部２２は、複数の超音波トランスデューサ１０ａから出力された複数の検出信号に対して、主音線及び補間音線の音線データを生成するための受信フォーカス処理を行う際に用いられる複数の受信遅延パターンを記憶している。ここで、主音線とは、超音波用探触子から被検体の走査範囲に、一定の角度間隔で順次送信される超音波ビームに対応する走査線をいう。補間音線は、被検体の走査範囲内に設定された少なくとも１つの領域において、互いに隣接する２つの主音線の間を受信時に補間するものであり、補間音線については、被検体の特定の深さ範囲においてのみ、画像情報がサンプリングされる。
【００２２】
主音線用受信制御部２３は、走査制御部１１において設定された主音線用の受信方向に基づいて、受信遅延パターン記憶部２２に記憶されている主音線用の複数の受信遅延パターンの中から所定のパターンを選択し、そのパターンに基づいて複数の検出信号に遅延を与えて加算することにより、受信フォーカス処理を行う。この受信フォーカス処理により、超音波エコーの焦点が絞り込まれた主音線の音線データが形成される。
【００２３】
補間音線用受信制御部２４は、走査制御部１１において設定された補間音線用の受信方向に基づいて、受信遅延パターン記憶部２２に記憶されている補間音線用の複数の受信遅延パターンの中から所定のパターンを選択し、そのパターンに基づいて複数の検出信号に遅延を与えて加算することにより、受信フォーカス処理を行う。この受信フォーカス処理により、超音波エコーの焦点が絞り込まれた補間音線の音線データが形成される。なお、超音波ビームは、広がりを持つビームであるので、送信する超音波ビームの本数を増加させること無く、補間音線の音線データを形成することが可能である。
【００２４】
２次記憶部２５は、主音線用受信制御部２３において形成された主音線の音線データ、及び、補間音線用受信制御部２４において形成された補間音線の音線データを記憶する。なお、受信フォーカス処理は、ＳＴＣ（センシティビティ・タイム・コントロール）、フィルタ処理、Ａ／Ｄ変換等のいずれかの信号処理の前に行うようにしても良い。
【００２５】
画像データ生成部２６は、走査制御部１１の制御の下で、２次記憶部２５に記憶されている主音線及び補間音線の音線データに基づいて、画像データを算出する。本実施形態においては、構造物有無判定部２７が、画像データ生成部２６において算出された画像データに基づいて、走査制御部１１によって設定された走査範囲内の複数の領域に構造物が存在するか否かを判定し、構造物が存在する領域を表す構造物存在領域情報を走査制御部１１に出力する。この構造物存在領域情報に基づいて、走査制御部１１が、次のフレームにおける主音線及び補間音線方向において反射された超音波エコーの受信を順次設定している。
【００２６】
例えば、図２に示すように、走査制御部１１によって設定された走査範囲内の領域Ａ〜Ｃに対応する画像データに基づいて、構造物有無判定部２７が、各領域内の輝度分布を解析する。ここでは、構造物有無判定部２７が、領域Ａ〜Ｃ内の平均深度における参照ラインＬ１〜Ｌ３に沿って、走査角θが大きくなる方向に画像データを参照する。
【００２７】
図３は、領域Ｂ内に構造物が存在する場合における超音波画像を示す図であり、図４は、領域Ａ〜Ｃ内の輝度分布を示す図である。図３に示すように、領域Ａ及びＣ内の参照ラインＬ１及びＬ３上には構造物が存在せず、領域Ｂ内の参照ラインL２上に構造物が存在している。そのため、図４の（Ａ）及び（Ｃ）に示すように、参照ラインＬ１及びＬ３に沿った輝度分布は、ほぼ一定となっている。一方、図４の（Ｂ）に示すように、参照ラインL２に沿った輝度分布は、構造物の端部に対応する走査角において、輝度が急激に変化している。従って、輝度分布曲線のピーク・トゥー・ピーク値（ｐｐ値）、又は、周波数成分に基づいて、構造物が存在するか否かを判定することができる。
【００２８】
このようにして、構造物有無判定部２７は、各領域において構造物が存在するか否かを判定し、構造物が存在する領域を表す構造物存在領域情報を走査制御部１１に出力する。例えば、図３及び図４に示す例においては、構造物有無判定部２７が、領域Ｂに構造物が存在することを表す構造物存在領域情報を走査制御部１１に出力する。
【００２９】
走査制御部１１は、領域Ｂに構造物が存在することを表す構造物存在領域情報を入力した場合には、次のフレームおける超音波エコーの受信方向の設定に際し、図５に示すように、領域Ｂにおいて補間音線を設定することにより、音線密度を上昇させる。これらの補間音線は、領域Ａ及びＣも通過するが、補間音線上のサンプリングポイントは、領域Ｂにおいてのみ設定されるので、サンプリングポイントの密度は、領域Ｂにおいてのみ上昇する。
【００３０】
即ち、構造物有無判定部２７が、各領域において構造物が存在するか否かを判定し、走査制御部１１が、その判定結果に基づいて、被検体の走査範囲においてサンプリングポイントの密度を上昇させる少なくとも１つの領域を設定している。その結果、構造物が存在する領域に対応する画像領域の解像度を向上させることができる。
【００３１】
図２〜図５においては、被検体の走査範囲を３つの領域に分割した例を示したが、被検体の走査範囲を２つの領域に分割しても良いし、４つ以上の領域に分割しても良い。図６に、被検体の走査範囲を６つの領域Ａ〜Ｆに分割した図を示す。ここでも、構造物有無判定部２７が、参照ラインＬ１〜Ｌ３に沿って画像データを参照する。図６に示すように、領域Ｂ及びＦに構造物が存在している。従って、構造物有無判定部２７は、領域Ｂ及びＦに構造物が存在することを表す構造物存在領域情報を走査制御部１１に出力し、走査制御部１１は、次のフレームおける超音波エコーの受信方向の設定において、図７に示すように、領域Ｂ及びＦにおいて補間音線を設定することにより、サンプリングポイントの密度を上昇させる。
【００３２】
再び図１を参照すると、３次記憶部２８は、画像データ生成部２６において算出された画像データを記憶する。画像処理部２９は、３次記憶部２８に記憶されている画像データに、各種の画像処理を施す。表示部３０は、例えば、ＣＲＴやＬＣＤ等のディスプレイ装置を含んでおり、画像処理部２９において生成された表示データに基づいて超音波画像を表示する。
【００３３】
操作卓３１は、オペレータの操作に基づいて、動画像の取得（フリーズ解除状態）及び動画像の取得停止（フリーズ状態）を表す制御信号を制御部３２に出力する。フリーズ状態においては、超音波撮像が停止され、静止した超音波画像が表示部３０において表示される。制御部３２は、操作卓３１から入力される制御信号に基づいて、走査制御部１１を制御する。
【００３４】
なお、本実施形態においては、構造物有無判定部２７が、画像データ生成部２６において算出された画像データに基づいて、走査制御部１１によって設定された走査範囲内の複数の領域における２次元的な輝度分布を所定のパターンと比較するパターンマッチングを行い、その結果に基づいて、被検体の走査範囲内の複数の領域に構造物が存在するか否かを判定し、構造物が存在する領域を表す構造物存在領域情報を走査制御部１１に出力するようにしても良い。
【００３５】
また、構造物有無判定部２７が、走査制御部１１によって設定された走査範囲内の複数の領域における構造物の有無を複数の判定方法に従って判定することが可能であり、オペレータが、操作卓３１を用いて、これらの判定方法の内から１つの判定方法を選択するようにしても良い。構造物有無判定部２７は、オペレータによって選択された判定方法に従って得られた判定結果に基づいて、構造物の有無を判定する。
【００３６】
本実施形態に係る超音波撮像装置によれば、構造物有無判定部２７が、被検体の走査範囲において構造物が存在する領域を判定し、走査制御部１１が、超音波ビームの本数を増加させること無く、その領域におけるサンプリング密度が上昇するように走査条件を設定することによって、フレームレートの維持、かつ、煩雑な操作を伴わずに、特定の領域の音線密度を高くすることが可能となる。さらに、構造物が存在する領域のみにおいてサンプリング密度を高くすることにより、限られたハードウェア資源（メモリ容量）を有効に利用して、高画質を実現することができる。
【００３７】
次に、本発明の第２の実施形態に係る超音波撮像装置について説明する。図８は、本発明の第２の実施形態に係る超音波撮像装置の構成を示すブロック図である。図８に示すように、本実施形態に係る超音波撮像装置は、走査制御部１１と構造物有無判定部２７との間に形状複雑性判定部３３を含んでおり、形状複雑性判定部３３には、画像データ生成部２６によって算出された画像データが入力される。その他の構成については、図１に示す超音波撮像装置と同様である。
【００３８】
形状複雑性判定部３３は、画像データ生成部２６から入力される画像データと、構造物有無判定部２７から入力される構造物存在領域情報とに基づいて、構造物存在領域情報に対応する領域に存在する構造物の輪郭形状の複雑性を判定し、複雑な輪郭形状を有する構造物が存在する領域を表す情報を新たに構造物存在領域情報として走査制御部１１に出力する。
【００３９】
ここで、形状複雑性判定部３３において構造物の輪郭形状の複雑性を判定する方法について説明する。図９は、形状複雑性判定部の動作を示すフローチャートである。図９に示すように、まず、ステップＳ１において、形状複雑性判定部３３が、構造物有無判定部２７から入力される構造物存在領域情報に基づいて、構造物が存在する領域の画像データに基づいて、輝度値に２次微分処理を施す。これにより、構造物が存在する領域における輝度値の変化が大きい位置を抽出することができる。
【００４０】
次に、ステップＳ２において、形状複雑性判定部３３が、輝度値の変化値が所定の値よりも大きいか否かを判定し、２値化処理を施す。これにより、構造物の輪郭に相当する輝度値の変化が大きい位置を抽出することができる。
【００４１】
ステップＳ３において、形状複雑性判定部３３が、輝度値の変化が大きい隣接する位置を繋いだ線に対して膨張収縮処理を施す。これにより、輝度値の変化が大きい位置の断裂部分を繋げて、構造物の輪郭形状を抽出することができる。
【００４２】
ステップＳ４において、形状複雑性判定部３３が、構造物の輪郭位置を示す情報に基づいて、構造物の輪郭形状の複雑性を評価する。例えば、構造物の輪郭形状のフラクタル次数を求め、そのフラクタル次数に基づいて複雑性を評価するようにしても良いし、構造物の輪郭形状に最も近い楕円からのずれを算出することにより、複雑性を評価するようにしても良い。
【００４３】
ステップＳ５において、形状複雑性判定部３３が、構造物の輪郭形状の複雑性を評価した結果に基づいて、所定の複雑性よりも高い複雑性を有する構造物が存在する領域を表す情報を新たに構造物存在領域情報として走査制御部１１に出力する。
【００４４】
本実施形態に係る超音波撮像装置によれば、構造物が存在する領域が多数存在する場合においても、高い複雑性を有する構造物が存在する領域のみにおいてサンプリング密度を高くすることによって、ハードウェア資源の利用効率を高めることができる。特に、腫瘍の輪郭形状の複雑性は、良性腫瘍か悪性腫瘍かを判断する基準の１つとなるので、本実施形態に係る超音波撮像装置を人体等の診断に利用することにより、腫瘍が存在する領域の解像度を向上させて、腫瘍の効果的な診断が可能となる。
【産業上の利用可能性】
【００４５】
以上説明したように、本発明は、超音波を送受信することにより生体内の臓器の診断や非破壊検査を行うために用いられる超音波撮像装置において利用することが可能である。
【図面の簡単な説明】
【００４６】
【図１】本発明の第１の実施形態に係る超音波撮像装置の構成を示すブロック図である。
【図２】被検体の走査範囲内に設定された３つの領域Ａ〜Ｃを示す図である。
【図３】領域Ｂ内に構造物が存在する場合を示す図である。
【図４】参照ラインＡ〜Ｃに沿った輝度分布を示す図である。
【図５】領域Ｂにおいて設定された補間音線を示す図である。
【図６】被検体の走査範囲内に設定された６つの領域Ａ〜Ｆを示す図である。
【図７】領域Ｂ及びＦにおいて設定された補間音線を示す図である。
【図８】本発明の第２の実施形態に係る超音波撮像装置の構成を示すブロック図である。
【図９】形状複雑性判定部の動作を示すフローチャートである。
【図１０】セクタ走査方式を説明するための図である。
【符号の説明】
【００４７】
１０  超音波用探触子
１０ａ  超音波トランスデューサ
１１  走査制御部
１２  送信遅延パターン記憶部
１３  送信制御部
１４  駆動信号発生部
２０  信号処理部
２１  １次記憶部
２２  受信遅延パターン記憶部
２３  主音線用受信制御部
２４  補間音線用受信制御部
２５  ２次記憶部
２６  画像データ生成部
２７  構造物有無判定部
２８  ３次記憶部
２９  画像処理部
３０  表示部
３１  操作卓
３２  制御部
３３  形状複雑性判定部
【図１】
2005087266.tif 000003
【図２】
2005087266.tif 000004
【図３】
2005087266.tif 000005
【図４】
2005087266.tif 000006
【図５】
2005087266.tif 000007
【図６】
2005087266.tif 000008
【図７】
2005087266.tif 000009
【図８】
2005087266.tif 000010
【図９】
2005087266.tif 000011
【図１０】
2005087266.tif 000012